(57)【要約】【課題】既存のコンセントを占有せずに電力通信を可能とする。【解決手段】ハウジング１前面の略中央には通信ケーブルの先端に付設されているモジュラプラグが挿抜自在に接続されるモジュラジャック３の差込口３ａが露出している。ハウジング１内には端子部４や通信インタフェース部５が収納される。端子部４と通信インタフェース部５とは絶縁トランスＴを介して接続される。而して、造営面（壁面）の裏側で端子部４により電力線と通信インタフェース部５とが接続されるため、電力線との接続用にコンセントを占有せずに電力通信を行うことができる。【選択図】        図１
2006319661.tif 000002
【特許請求の範囲】
【請求項１】
造営面に設けられた埋込孔に後端部を埋め込む形で埋込配設される略箱形のハウジングと、ハウジングに設けられ電力線が接続される端子部と、ハウジング内に収納され端子部に接続された電力線を介して電力線通信用の信号を変復調する電力線通信用モデムと、ハウジング内に収納され電力線通信用モデムと通信機器とのインタフェースを行う通信インタフェースと、ハウジングの前面に設けられ通信機器と通信インタフェースとを接続する通信ケーブルが挿抜自在に挿着されるコネクタとを備え、ハウジングは、埋込型の配線器具用に規格化されている取付枠を用いて造営面に埋込配設されることを特徴とする電力線通信用配線器具。
【請求項２】
ハウジングは、２連の取付枠を用いて造営面に埋込配設されることを特徴とする請求項１記載の電力線通信用配線器具。
【請求項３】
ハウジング内に収納され、電力線通信用モデムの動作状態をハウジング前面に露設された表示素子によって表示する表示部を備えたことを特徴とする請求項１又は２記載の電力線通信用配線器具。
【請求項４】
ハウジング内に収納され、電力線を介して供給される交流電源から電力線通信用モデムや通信インタフェースなどの動作電源を作成する電源部を備えたことを特徴とする請求項１〜３の何れかに記載の電力線通信用配線器具。
【発明の詳細な説明】
【技術分野】
【０００１】
本発明は、オフィスや住宅等の屋内に配線された電力線を利用してデータ通信を行うための電力線通信用配線器具に関するものである。
【背景技術】
【０００２】
近年、オフィスや住宅においても複数台のコンピュータをつないだローカル・エリア・ネットワーク（ＬＡＮ）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には配線工事の手間や費用を考慮して電波による無線方式が採用される場合もある（例えば、特許文献１参照）。
【特許文献１】特開２００５−７９９７７号公報
【発明の開示】
【発明が解決しようとする課題】
【０００３】
ところで、従来より給電用の屋内配線（電力線）を利用してデータ通信を行う電力線通信（Powre Line Communication）が提案されているが、かかる電力線通信には電力と通信用信号の重ね合わせや分離を行なう装置（ＰＬＣモデム）が必要であり、このようなＰＬＣモデムは、電源コードを介して壁面に設けられたコンセントに接続されるとともに通信ケーブルを介してコンピュータ等の通信機器に接続される。しかしながら、ＰＬＣモデムがコンセントを占有してしまうので、コンピュータや他の機器の電源を確保するためにテーブルタップ等を用いる必要が生じてしまう。
【０００４】
本発明は上記事情に鑑みてなされたものであり、その目的は、既存のコンセントを占有せずに電力通信が可能となる電力通信用配線器具を提供することにある。
【課題を解決するための手段】
【０００５】
請求項１の発明は、上記目的を達成するために、造営面に設けられた埋込孔に後端部を埋め込む形で埋込配設される略箱形のハウジングと、ハウジングに設けられ電力線が接続される端子部と、ハウジング内に収納され端子部に接続された電力線を介して電力線通信用の信号を変復調する電力線通信用モデムと、ハウジング内に収納され電力線通信用モデムと通信機器とのインタフェースを行う通信インタフェースと、ハウジングの前面に設けられ通信機器と通信インタフェースとを接続する通信ケーブルが挿抜自在に挿着されるコネクタとを備え、ハウジングは、埋込型の配線器具用に規格化されている取付枠を用いて造営面に埋込配設されることを特徴とする。
【０００６】
請求項２の発明は、請求項１の発明において、ハウジングは、２連の取付枠を用いて造営面に埋込配設されることを特徴とする。
【０００７】
請求項３の発明は、請求項１又は２の発明において、ハウジング内に収納され、電力線通信用モデムの動作状態をハウジング前面に露設された表示素子によって表示する表示部を備えたことを特徴とする。
【０００８】
請求項４の発明は、請求項１〜３の何れかの発明において、ハウジング内に収納され、電力線を介して供給される交流電源から電力線通信用モデムや通信インタフェースなどの動作電源を作成する電源部を備えたことを特徴とする。
【発明の効果】
【０００９】
本発明によれば、屋内配線によって電力線通信用モデムと電力線とを接続するため、既存のコンセントを占有せずに電力通信が可能になるという効果がある。
【発明を実施するための最良の形態】
【００１０】
以下、図１〜図４を参照して本発明の実施形態を詳細に説明する。
【００１１】
本実施形態の電力線通信用配線器具Ａは、図１に示すように壁面などの造営面に設けられた埋込孔に後端部を埋め込む形で埋込配設される略箱形のハウジング１と、ハウジング１に取り付けられた取付枠２とを備える。取付枠２は、ＪＩＳ  Ｃ  ８３３６で規格化されている２個用のスイッチボックスに取り付けられる２連の取付枠（ＪＩＳ  Ｃ  ８３７５で規格化されている大角形連用配線器具の取付枠）に相当し、ハウジング１の前端部に外挿された状態でねじ止めされている。取付枠２の上側及び下側の各部にはスイッチボックスに取り付けるためのボックス取付ねじが挿通される一対のねじ挿通孔２ａと、後述するプレート５０を取り付けるためのプレートねじが螺合する一対のねじ孔２ｂとが各々左右に列設されている。
【００１２】
ハウジング１は略箱形の合成樹脂成型品からなり、前面の略中央には通信ケーブル（ＣＡＴ５のＬＡＮケーブル）の先端に付設されているコネクタ（ＲＪ−４５のモジュラプラグ）が挿抜自在に接続される受け側コネクタ（ＲＪ−４５のモジュラジャック３）の差込口３ａが露出している。この差込口３ａは上下方向に移動自在である２枚の扉３ｂ，３ｃによって開閉自在に閉塞され、扉３ｂ，３ｃを開けた状態でモジュラプラグが挿抜自在に挿着される。なお、下側の扉３ｃの下端には前方へ突出するつまみ３ｄが突設されており、このつまみ３ｄを持って扉３ｂ，３ｃを上方へ移動させることで差込口３ａを露出させることができる。また、ハウジング１前面の差込口３ａの上方には表示素子（発光ダイオード）ＬＤが露出している。
【００１３】
図２は電力線通信用配線器具Ａの回路構成を示すブロック図である。端子部４は従来周知のねじなし端子（いわゆる速結端子）からなり、屋内に配線されている電力線が接続されるものである。端子部４には直流カット用のコンデンサＣ並びに絶縁トランスＴを介して通信インタフェース部５が接続されるとともにＡＣ／ＤＣコンバータからなる電源部６が接続されている。
【００１４】
通信インタフェース部５は、絶縁トランスＴの２次側に接続されて電力線との間で電力線通信用の信号（以下、通信信号と呼ぶ。）を送受信するための送受信部７と、電力線に重畳して伝送される所定形式の通信信号からデータ信号を復調する復調機能並びにコンピュータなどの通信機器側の送信データを所定形式の通信信号に変調する変調機能を有するＰＬＣモデム８と、モジュラジャック３に接続される通信ケーブルを介して通信機器との間で１００ＢＡＳＥ−ＴＸなどの規格に準拠してデータ伝送を行うためのＬＡＮコントローラ９と、ＣＰＵを主構成要素とし、通信インタフェース部５全体の制御を行う制御部１０とを具備する。制御部１０は、例えばＰＬＣモデム８とＬＡＮコントローラ９との間で授受するデータ（パケット）のフィルタリングなどのセキュリティ機能や、データ伝送中であることを知らせるために表示部１１を制御して表示部１１が有する表示素子ＬＤを発光させる機能等を有している。なお、通信インタフェース部５は電源部６で作成される直流電源によって動作する。
【００１５】
上記通信インタフェース部５は、図３に示すように集積回路からなる各部をプリント配線板１２に実装することで構成され、ハウジング１内の後部に収納される。またハウジング１内の前部にはモジュラジャック３が実装されたプリント配線板１３が収納され、プリント配線板１２に実装されているＬＡＮコントローラ９とプリント配線板１３に実装されているモジュラジャック３との間がフラットケーブル１４で接続されている。なお、図示は省略するが、ハウジング１内には端子部４並びに絶縁トランスＴを実装したプリント配線板も収納されている。
【００１６】
図４は本実施形態の電力線通信用配線器具ＡをコンセントＢとともに埋込孔に埋込配設した状態を示している。コンセントＢは大角形連用配線器具（ＪＩＳ  Ｃ  ８３０４参照）の１個モジュールのものを１連の取付枠（ＪＩＳ  Ｃ  ８３７５参照）に３個連接して取り付けられる。プレート５０は、プレートねじによって電力線通信用配線器具Ａの取付枠２並びにコンセントＢが取り付けられた取付枠に固定されるプレート枠（図示せず）と、電力線通信用配線器具Ａのハウジング１前面並びにコンセントＢの前面を露出する窓孔５１ａ，５１ｂを有してプレート枠の前面を覆うようにプレート枠に取り付けられる化粧プレート５１とで構成される。ここで、コンセントＢは屋内配線用の電力線を接続するための端子部と、電力線を送り配線するための送り配線用の端子部とを備えており、何れかのコンセントＢの送り配線用の端子部と端子部４とを電線で結線することによって電力線通信用配線器具Ａが電力線に接続される。
【００１７】
上述のように本実施形態の電力線通信用配線器具Ａは、造営面（壁面）の裏側で端子部４により電力線と接続されるため、電力線との接続用にコンセントＢを占有せずに電力通信を行うことができる。
【図面の簡単な説明】
【００１８】
【図１】本発明の実施形態を示し、（ａ）は正面図、（ｂ）は右側面図である。
【図２】同上の回路ブロック図である。
【図３】同上の断面図である。
【図４】同上を埋込配設した状態を示す斜視図である。
【符号の説明】
【００１９】
１  ハウジング
２  取付枠
３  モジュラジャック
４  端子部
５  通信インタフェース部
６  電源部
７  送受信部
８  ＰＬＣモデム
９  ＬＡＮコントローラ
【図１】
2006319661.tif 000003
【図２】
2006319661.tif 000004
【図３】
2006319661.tif 000005
【図４】
2006319661.tif 000006